(57)【特許請求の範囲】
【請求項１】
第１色を表示する第１副画素、第２色を表示する第２副画素、第３色を表示する第３副画素、第４色を表示する第４副画素を有する画素を複数有する画像表示パネルと、
入力信号の入力値を、前記第１色、前記第２色、前記第３色及び前記第４色で再現される色空間の再現値に変換して生成し、生成した出力信号を前記画像表示パネルに出力する信号処理部と、を有し、
前記信号処理部は、
前記画像表示パネルに関する伸長係数を決定し、
各画素の前記第４副画素の生成信号を、前記第１副画素の入力信号、前記第２副画素の入力信号、前記第３副画素の入力信号及び前記伸長係数に基づいて求め、
各画素の前記第１副画素の出力信号を、少なくとも前記第１副画素の入力信号、前記伸長係数及び前記第４副画素の生成信号に基づいて求めて前記第１副画素に出力し、
各画素の前記第２副画素の出力信号を、少なくとも前記第２副画素の入力信号、前記伸長係数及び前記第４副画素の生成信号に基づいて求めて前記第２副画素に出力し、
各画素の前記第３副画素の出力信号を、少なくとも前記第３副画素の入力信号、前記伸長係数及び前記第４副画素の生成信号に基づいて求めて前記第３副画素に出力し、
さらに、前記第４副画素の出力信号を求めるための補正値を、前記第１副画素の入力信号、前記第２副画素の入力信号、及び前記第３副画素の入力信号に基づいて表示される色である入力色の色相に基づいて求め、
各画素の前記第４副画素の出力信号を、前記第４副画素の生成信号と前記補正値とに基づいて求めて前記第４副画素に出力する、表示装置。
【請求項２】
前記信号処理部は、前記第４副画素の出力信号を、前記第４副画素の生成信号の信号値に、前記補正値を加えることにより求める、請求項１に記載の表示装置。
【請求項３】
前記補正値は、前記入力色の色相が所定の色相に近づくに従って大きくなる、請求項１又は２に記載の表示装置。
【請求項４】
前記補正値は、前記入力色の色相が前記所定の色相とは異なる第１色相及び第２色相である場合にゼロとなり、前記入力色の色相が前記第１色相から前記所定の色相に近づくにつれて大きくなり、前記入力色の色相が前記第２色相から前記所定の色相に近づくにつれて大きくなる、請求項３に記載の表示装置。
【請求項５】
前記補正値は、前記入力色の色相が、前記第１色相から前記第２色相までの色相範囲であって前記所定の色相を含む色相範囲以外の色相である場合に、ゼロとなる、請求項４に記載の表示装置。
【請求項６】
前記所定の色相は、黄色であり、前記第１色相は、赤色であり、前記第２色相は、緑色である、請求項５に記載の表示装置。
【請求項７】
前記補正値は、さらに、前記入力色の彩度が大きくなるに従って大きくなる、請求項１から請求項６のいずれか１項に記載の表示装置。
【請求項８】
前記補正値は、前記入力色の色相に基づいて求められる第１補正項と、前記入力色の彩度が大きくなるに従って大きくなる第２補正項とを有し、
前記信号処理部は、前記第４副画素の出力信号を、前記第４副画素の生成信号の信号値に、前記第１補正項と前記第２補正項との積を加えることにより求める、請求項７に記載の表示装置。
【請求項９】
前記第１副画素の出力信号、前記第２副画素の出力信号、第３副画素の出力信号、及び第４副画素の出力信号に基づいて表示される色の明度は、前記入力色の明度よりも大きい、請求項１から請求項８のいずれか１項に記載の表示装置。
【請求項１０】
前記伸長係数は、前記入力色の彩度に応じて変化する、請求項９に記載の表示装置。
【請求項１１】
前記第１副画素、前記第２副画素、前記第３副画素及び前記第４副画素は、前記画像表示パネルの前面から入射された光を反射する反射部を有し、前記反射部によって反射された光により画像を表示する、請求項１から請求項１０のいずれか１項に記載の表示装置。
【請求項１２】
前記画像表示パネルの画像を表示する表示面とは反対側の背面側に設けられ、前記画像表示パネルに光を照射する光源部をさらに有する、請求項１から請求項１０のいずれか１項に記載の表示装置。
【請求項１３】
第１色を表示する第１副画素、第２色を表示する第２副画素、第３色を表示する第３副画素、第４色を表示する第４副画素を有する画素を複数有する画像表示パネルを備える表示装置の駆動方法であって、
前記第１副画素、前記第２副画素、前記第３副画素及び前記第４副画素それぞれの出力信号を求めるステップと、
前記出力信号に基づいて、前記第１副画素、前記第２副画素、前記第３副画素及び前記第４副画素の動作を制御するステップと、を含み、
前記出力信号を求めるステップは、
前記画像表示パネルに関する伸長係数を決定するステップと、
前記第４副画素の生成信号を、前記第１副画素の入力信号、前記第２副画素の入力信号、前記第３副画素の入力信号及び前記伸長係数に基づいて求めるステップと、
前記第１副画素の出力信号を、少なくとも前記第１副画素の入力信号、前記伸長係数及び前記第４副画素の生成信号に基づいて求めて前記第１副画素に出力するステップと、
前記第２副画素の出力信号を、少なくとも前記第２副画素の入力信号、前記伸長係数及び前記第４副画素の生成信号に基づいて求めて前記第２副画素に出力するステップと、
各画素の前記第３副画素の出力信号を、少なくとも前記第３副画素の入力信号、前記伸長係数及び前記第４副画素の生成信号に基づいて求めて前記第３副画素に出力するステップと、
前記第４副画素の出力信号を求めるための補正値を、前記第１副画素の入力信号、前記第２副画素の入力信号、及び前記第３副画素の入力信号に基づいて表示される色である入力色の色相に基づいて求めるステップと、
前記第４副画素の出力信号を、前記第４副画素の生成信号と前記補正値とに基づいて求めて前記第４副画素に出力するステップと、を有する表示装置の駆動方法。
【発明の詳細な説明】
【技術分野】
【０００１】
本開示は、表示装置及び表示装置の駆動方法に関する。
【背景技術】
【０００２】
近年、携帯電話及び電子ペーパー等のモバイル機器向け等の表示装置の需要が高くなっている。表示装置では、１つの画素が複数の副画素を備え、当該複数の副画素がそれぞれ異なる色の光を出力し、当該副画素の表示のオン、オフを切り換えることで、１つの画素で種々の色を表示させている。このような表示装置は、解像度及び輝度といった表示特性も年々向上してきている。しかし、解像度が高くなるにしたがって開口率が低下してくるため、高輝度を達成しようとした場合、バックライトの輝度を高くする必要があり、バックライトの消費電力が増大するという問題がある。これを改善するため、従来の赤、緑、青の副画素に第４の副画素である白画素を加える技術がある（例えば、特許文献１）。この技術は、白画素が輝度を向上させる分、バックライトの電流値を下げ、消費電力を低減する。また、バックライトの電流値を下げない場合は、白画素によって輝度が向上するため、これを利用して、屋外の外光下における視認性を向上させる技術がある（例えば、特許文献２）。
【先行技術文献】
【特許文献】
【０００３】
【特許文献１】特開２０１２−１０８５１８号公報
【特許文献２】特開２０１２−２２２１７号公報
【発明の概要】
【発明が解決しようとする課題】
【０００４】
ここで、画像を表示させる際、同時コントラスト（同時対比）という現象が生じる場合がある。同時コントラストとは、１つの画像に２つの色が並んで表示される際、２つの色が相互に影響しあって、２つの色が互いに強調し合って見える現象である。例えば、色相が異なる２つの色が１つの画像に表示される場合、観察者により色相がずれて認識され、例えば輝度が低い色相の色がより暗く見えるおそれがある。特許文献２の技術によると、入力信号を伸長させるための伸長係数を入力信号の階調値に基づき求めるため、色相が異なった場合でも伸長係数が一定である場合がある。従って、特許文献２の技術によると、同時コントラストによって、例えば輝度が低い色相の色がより暗く見えるなど、画像が劣化するおそれがある。
【０００５】
本発明は、上記課題を解決するために、画像の劣化を抑制する表示装置及び表示装置の駆動方法を提供することを目的とする。
【課題を解決するための手段】
【０００６】
本発明の表示装置は、第１色を表示する第１副画素、第２色を表示する第２副画素、第３色を表示する第３副画素、第４色を表示する第４副画素を有する画素を複数有する画像表示パネルと、入力信号の入力値を、前記第１色、前記第２色、前記第３色及び前記第４色で再現される色空間の再現値に変換して生成し、生成した出力信号を前記画像表示パネルに出力する信号処理部と、を有し、前記信号処理部は、前記画像表示パネルに関する伸長係数を決定し、各画素の前記第４副画素の生成信号を、前記第１副画素の入力信号、前記第２副画素の入力信号、前記第３副画素の入力信号及び前記伸長係数に基づいて求め、各画素の前記第１副画素の出力信号を、少なくとも前記第１副画素の入力信号、前記伸長係数及び前記第４副画素の生成信号に基づいて求めて前記第１副画素に出力し、各画素の前記第２副画素の出力信号を、少なくとも前記第２副画素の入力信号、前記伸長係数及び前記第４副画素の生成信号に基づいて求めて前記第２副画素に出力し、各画素の前記第３副画素の出力信号を、少なくとも前記第３副画素の入力信号、前記伸長係数及び前記第４副画素の生成信号に基づいて求めて前記第３副画素に出力し、さらに、前記第４副画素の出力信号を求めるための補正値を、前記第１副画素の入力信号、前記第２副画素の入力信号、及び前記第３副画素の入力信号に基づいて表示される色である入力色の色相に基づいて求め、各画素の前記第４副画素の出力信号を、前記第４副画素の生成信号と前記補正値とに基づいて求めて前記第４副画素に出力する。
【図面の簡単な説明】
【０００７】
【図１】図１は、実施形態１に係る表示装置の構成の一例を示すブロック図である。
【図２】図２は、実施形態１に係る画像表示パネルの概念図である。
【図３】図３は、実施形態１における画像表示パネルの構造を模式的に示す断面図である。
【図４】図４は、実施形態１に係る信号処理部の構成の概要を示すブロック図である。
【図５】図５は、本実施形態の表示装置で再現可能な再現ＨＳＶ色空間の概念図である。
【図６】図６は、再現ＨＳＶ色空間の色相と彩度との関係を示す概念図である。
【図７】図７は、実施形態１における彩度と伸長係数との関係を示すグラフである。
【図８】図８は、実施形態１における入力色の色相と第１補正項との関係を示すグラフである。
【図９】図９は、実施形態１における入力色の彩度と第２補正項との関係を示すグラフである。
【図１０】図１０は、実施形態１に係る信号処理部による各副画素の出力信号の生成処理を説明するフローチャートである。
【図１１】図１１は、所定の色相における彩度と明度との関係の一例を示すグラフである。
【図１２】図１２は、色相が異なる２つの色が表示された場合の画像の一例を示す図である。
【図１３】図１３は、色相が異なる２つの色が表示された場合の画像の一例を示す図である。
【図１４】図１４は、実施形態２に係る表示装置の構成を示すブロック図である。
【図１５】図１５は、伸長係数の算出方法を切り替える方法を示すフローチャートである。
【図１６】図１６は、実施形態１に係る表示装置を適用する電子機器の一例を示す図である。
【図１７】図１７は、実施形態１に係る表示装置を適用する電子機器の一例を示す図である。
【発明を実施するための形態】
【０００８】
以下に、本発明の実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
（実施形態１）
（表示装置の全体構成）
図１は、実施形態１に係る表示装置の構成の一例を示すブロック図である。図２は、実施形態１に係る画像表示パネルの概念図である。図１に示すように、実施形態１の表示装置１０は、信号処理部２０と、画像表示パネル駆動部３０と、画像表示パネル４０と、光源部５０とを有する。信号処理部２０は、外部に設けられた制御装置１１からの入力信号（ＲＧＢデータ）が入力され、入力信号に所定のデータ変換処理を加えて生成した信号を表示装置１０の各部に送る。画像表示パネル駆動部３０は、信号処理部２０からの信号に基づいて画像表示パネル４０の駆動を制御する。画像表示パネル４０は、画像表示パネル駆動部３０からの信号に基づいて画像を表示させる。また、表示装置１０は、反射型の液晶表示装置であり、外光を画像表示パネル４０で反射させることにより、画像を表示する。さらに、表示装置１０は、外光が十分でない屋外での夜間使用や暗所での使用の場合等には、光源部５０から発光される光を画像表示パネル４０で反射させることによっても、画像を表示することができる。
【００１０】
（画像表示パネルの構成）
最初に、画像表示パネル４０の構成について説明する。図１及び図２に示すように、画像表示パネル４０は、画素４８が、Ｐ０×Ｑ０個（行方向にＰ０個、列方向にＱ０個）、２次元のマトリクス状（行列状）に配列されている。
【００１１】
画素４８は、第１副画素４９Ｒと、第２副画素４９Ｇと、第３副画素４９Ｂと、第４副画素４９Ｗとを有する。第１副画素４９Ｒは、第１色（例えば、赤色）を表示する。第２副画素４９Ｇは、第２色（例えば、緑色）を表示する。第３副画素４９Ｂは、第３色（例えば、青色）を表示する。第４副画素４９Ｗは、第４色（例えば、白色）を表示する。第１色、第２色、第３色及び第４色は、赤色、緑色、青色及び白色に限られず、補色などでもよく、互いに色が異なっていればよい。第４色を表示する第４副画素４９Ｗは、同じ光源点灯量で照射された場合、第１色を表示する第１副画素４９Ｒ、第２色を表示する第２副画素４９Ｇ、第３色を表示する第３副画素４９Ｂよりも輝度が高いことが好ましい。以下において、第１副画素４９Ｒと、第２副画素４９Ｇと、第３副画素４９Ｂと、第４副画素４９Ｗとをそれぞれ区別する必要がない場合、副画素４９という。また、副画素の配列する位置を区別して記載する場合、例えば画素４８（ｐ，ｑ）の第４副画素を、第４副画素４９Ｗ（ｐ，ｑ）と記載する。
【００１２】
画像表示パネル４０は、カラー液晶表示パネルであり、第１副画素４９Ｒと画像観察者との間に第１色を通過させる第１カラーフィルタが配置され、第２副画素４９Ｇと画像観察者との間に第２色を通過させる第２カラーフィルタが配置され、第３副画素４９Ｂと画像観察者との間に第３色を通過させる第３カラーフィルタが配置されている。また、画像表示パネル４０は、第４副画素４９Ｗと画像観察者との間にカラーフィルタが配置されていない。第４副画素４９Ｗには、カラーフィルタの代わりに透明な樹脂層が備えられていてもよい。このように画像表示パネル４０は、透明な樹脂層を設けることで、第４副画素４９Ｗにカラーフィルタを設けないことにより生じる第４副画素４９Ｗの大きな段差を抑制することができる。
【００１３】
図３は、実施形態１における画像表示パネルの構造を模式的に示す断面図である。画像表示パネル４０は、反射型の液晶表示パネルである。図３に示すように、画像表示パネル４０は、互いに対向するアレイ基板４１と対向基板４２とを有し、アレイ基板４１と対向基板４２との間に液晶素子が封入された液晶層４３が設けられている。
【００１４】
アレイ基板４１は、液晶層４３側の面に、複数の画素電極４４を有する。画素電極４４は、スイッチング素子を介して信号線ＤＴＬに接続されており、映像信号としての画像出力信号が印加される。画素電極４４は、例えばアルミニウム又は銀製の反射性を有する部材であり、外光又は光源部５０からの光を反射する。すなわち、実施形態１においては、画素電極４４が反射部を構成し、反射部は、画像表示パネル４０の前面（画像を表示する側の面）から入射された光を反射して、画像を表示させる。
【００１５】
対向基板４２は、例えばガラス等の透明性を有する基板である。対向基板４２は、液晶層４３側の面に、対向電極４５及びカラーフィルタ４６を有する。より詳しくは、対向電極４５は、カラーフィルタ４６の液晶層４３側の面に設けられている。
【００１６】
対向電極４５は、例えばＩＴＯ（Indium  Tin  Oxide）、又はＩＺＯ（Indium  Zinc  Oxide）等の透明性を有する導電性材料である。画素電極４４と対向電極４５とは対向して設けられているため、画素電極４４と対向電極４５との間に画像出力信号による電圧が印加されると、画素電極４４と対向電極４５とは、液晶層４３内に電界を生じさせる。表示装置１０は、液晶層４３内に生じた電界により複屈折率が変化し、画像表示パネル４０から反射される光量を調整する。画像表示パネル４０は、いわゆる縦電界方式であるが、画像表示パネル４０の表示面に平行な方向に電界を発生させる横電界方式であってもよい。
【００１７】
カラーフィルタ４６は、画素電極４４に対応して複数設けられる。画素電極４４と、対向電極４５と、カラーフィルタ４６とは、それぞれ副画素４９を構成する。対向基板４２の液晶層４３と反対側の面には、導光板４７が設けられている。導光板４７は、例えば、アクリル樹脂、ポリカーボネート（ＰＣ）樹脂、メタクリル酸メチル−スチレン共重合体（ＭＳ樹脂）等の透明性を有する板状部材である。導光板４７は、対向基板４２と反対側の面である上面４７Ａに、プリズム加工がなされている。
【００１８】
（光源部５０の構成）
光源部５０は、実施形態１においては、発光ダイオード（ＬＥＤ）を有する。光源部５０は、図３に示すように、導光板４７の側面４７Ｂに沿って設けられている。光源部５０は、導光板４７を介して、画像表示パネル４０の前面から、画像表示パネル４０に光を照射する。光源部５０は、画像観察者の操作、又は表示装置１０に取付けられて外光を計測する外光センサ等によって、オン（点灯）とオフ（消灯）とが切り替えられる。光源部５０は、オンの場合に光を照射し、オフの場合に光を照射しない。例えば、画像観察者が、画像が暗いと感じた場合は、画像観察者は、光源部５０をオンにして、光源部５０から画像表示パネル４０に光を照射させ、画像を明るくする。また、外光センサが、外光強度が所定の値より小さいと判断した場合には、例えば信号処理部２０は、光源部５０をオンにして、光源部５０から画像表示パネル４０に光を照射させ、画像を明るくする。実施形態１において、信号処理部２０は、光源部５０の光の輝度を、伸長係数αに応じて制御しない。すなわち、光源部５０の光の輝度は、後述する伸長係数αには無関係で設定される。ただし、光源部５０の光の輝度は、画像観察者の操作、又は外光センサの計測結果に応じて、調整されるものであってもよい。
【００１９】
次に、画像表示パネル４０による光の反射について説明する。図３に示すように、画像表示パネル４０には、外光ＬＯ１が入射される。外光ＬＯ１は、導光板４７及び画像表示パネル４０内を通って画素電極４４に入射される。画素電極４４に入射された外光ＬＯ１は、画素電極４４に反射され、光ＬＯ２として、画像表示パネル４０内及び導光板４７内を通って、外部に出射される。また、光源部５０をオンにした場合、光源部５０からの光ＬＩ１は、導光板４７の側面４７Ｂから導光板４７内に入射する。導光板４７内に入射された光ＬＩ１は、導光板４７の上面４７Ａで散乱して反射され、一部が光ＬＩ２として、画像表示パネル４０の対向基板４２側から画像表示パネル４０内に入射し、画素電極４４に照射される。画素電極４４に照射された光ＬＩ２は、画素電極４４により反射され、光ＬＩ３として画像表示パネル４０及び導光板４７を通って外部に出射する。また、導光板４７の上面４７Ａで散乱した光の他の一部は、光ＬＩ４として反射され、導光板４７内で反射を繰り返す。
【００２０】
すなわち、画素電極４４は、画像表示パネル４０の外部側（対向基板４２側）の面である前面から画像表示パネル４０に入射される外光ＬＯ１又は光ＬＩ２を外部に反射する。外部に反射された光ＬＯ２及びＬＩ３は、液晶層４３及びカラーフィルタ４６を通る。そのため、表示装置１０は、外部に反射される光ＬＯ２，ＬＩ３により、画像を表示することができる。このように、実施形態１に係る表示装置１０は、フロントライト型で、かつ、エッジライト型の光源部５０を有する反射型の表示装置である。なお、実施形態１においては、表示装置１０は、光源部５０及び導光板４７を有するが、光源部５０及び導光板４７を有さなくてもよい。この場合、表示装置１０は、外光ＬＯ１を反射した光ＬＯ２によって、画像を表示することができる。
【００２１】
（信号処理部の構成）
次に、信号処理部２０の構成について説明する。信号処理部２０は、制御装置１１から入力される入力信号を処理して出力信号を生成する。信号処理部２０は、赤色（第１色）、緑色（第２色）、青色（第３色）の色を組み合わせて表示させる入力信号の入力値を、赤色（第１色）、緑色（第２色）、青色（第３色）及び白色（第４色）で再現される拡大色空間（実施形態１ではＨＳＶ色空間）の再現値（出力信号）に変換して生成する。そして、信号処理部２０は、生成した出力信号を画像表示パネル駆動部３０に出力する。拡大色空間については後述する。なお、実施形態１において、拡大色空間はＨＳＶ色空間であるが、これに限られずＸＹＺ色空間、ＹＵＶ空間その他の座標系でもよい。
【００２２】
図４は、実施形態１に係る信号処理部の構成の概要を示すブロック図である。図４に示すように、信号処理部２０は、α算出部２２、Ｗ生成信号生成部２４、伸長処理部２６、補正値算出部２７、及びＷ出力信号生成部２８を有する。
【００２３】
α算出部２２は、制御装置１１からの入力信号を取得する。α算出部２２は、取得した入力信号に基づいて伸長係数αを算出する。α算出部２２の伸長係数αの算出処理については、後述する。
【００２４】
Ｗ生成信号生成部２４は、α算出部２２から、入力信号の信号値及び伸長係数αの値を取得する。Ｗ生成信号生成部２４は、取得した入力信号と伸長係数αとに基づき、第４副画素４９Ｗの生成信号を生成する。Ｗ生成信号生成部２４による第４副画素４９Ｗの生成信号の生成処理については、後述する。
【００２５】
伸長処理部２６は、Ｗ生成信号生成部２４から、入力信号の信号値、伸長係数αの値、及び第４副画素４９Ｗの生成信号を取得する。伸長処理部２６は、取得した入力信号の信号値、伸長係数αの値、及び第４副画素４９Ｗの生成信号に基づき伸長処理を行い、第１副画素４９Ｒの出力信号、第２副画素４９Ｇの出力信号、及び第３副画素４９Ｂの出力信号を生成する。伸長処理部２６による伸長処理については、後述する。
【００２６】
補正値算出部２７は、制御装置１１からの入力信号の信号値を取得する。補正値算出部２７は、取得した入力信号の信号値に基づき、少なくとも入力信号に基づいて表示される色である入力色の色相を算出する。補正値算出部２７は、少なくとも入力色の色相に基づき、第４副画素の出力信号を求めるための補正値を算出する。補正値算出部２７による補正値算出処理については、後述する。なお、補正値算出部２７は、制御装置１１から直接入力信号の信号値を取得するが、これに限られず、例えば、α算出部２２、Ｗ生成信号生成部２４、又は伸長処理部２６等、信号処理部２０の他部から入力信号の信号値を取得してもよい。
【００２７】
Ｗ出力信号生成部２８は、伸長処理部２６から第４副画素４９Ｗの生成信号の信号値を取得し、補正値算出部２７から補正値を取得する。Ｗ出力信号生成部２８は、取得した第４副画素の生成信号の信号値及び補正値に基づき、第４副画素４９Ｗの出力信号を生成し、画像表示パネル駆動部３０に出力する。Ｗ出力信号生成部２８による第４副画素４９Ｗの出力信号の生成処理については、後述する。なお、Ｗ出力信号生成部２８は、伸長処理部２６から第１副画素４９Ｒの出力信号、第２副画素４９Ｇの出力信号、及び第３副画素４９Ｂの出力信号を取得し、画像表示パネル駆動部３０に出力する。ただし、伸長処理部２６は、第１副画素４９Ｒの出力信号、第２副画素４９Ｇの出力信号、及び第３副画素４９Ｂの出力信号を、直接画像表示パネル駆動部３０に出力してもよい。
【００２８】
（画像表示パネル駆動部の構成）
図１及び図２に示すように、画像表示パネル駆動部３０は、信号出力回路３１及び走査回路３２を有する。画像表示パネル駆動部３０は、信号出力回路３１によって映像信号を保持し、順次、画像表示パネル４０に出力する。より詳しくは、信号出力回路３１は、信号処理部２０からの出力信号に応じた所定の電位を有する画像出力信号を、画像表示パネル４０に出力する。信号出力回路３１は、信号線ＤＴＬによって画像表示パネル４０と電気的に接続されている。走査回路３２は、画像表示パネル４０における副画素４９の動作（光透過率）を制御するためのスイッチング素子（例えば、ＴＦＴ）のオン／オフを制御する。走査回路３２は、配線ＳＣＬによって画像表示パネル４０と電気的に接続されている。
【００２９】
（表示装置の処理動作）
次に、表示装置１０の処理動作について説明する。図５は、本実施形態の表示装置で再現可能な再現ＨＳＶ色空間の概念図である。図６は、再現ＨＳＶ色空間の色相と彩度との関係を示す概念図である。
【００３０】
信号処理部２０は、表示する画像の情報である入力信号が制御装置１１から入力される。入力信号は、各画素に対して、その位置で表示する画像（色）の情報を入力信号として含んでいる。具体的には、第（ｐ，ｑ）番目の画素（但し、１≦ｐ≦Ｉ，１≦ｑ≦Ｑ０）に対して、信号値がｘ１−（ｐ，ｑ）の第１副画素の入力信号、信号値がｘ２−（ｐ，ｑ）の第２副画素の入力信号、及び、信号値がｘ３−（ｐ，ｑ）の第３副画素の入力信号が含まれる信号が信号処理部２０に入力される。
【００３１】
信号処理部２０は、入力信号を処理することで、第１副画素４９Ｒの表示階調を決定するための第１副画素の出力信号（信号値Ｘ１−（ｐ，ｑ））、第２副画素４９Ｇの表示階調を決定するための第２副画素の出力信号（信号値Ｘ２−（ｐ，ｑ））、及び第３副画素４９Ｂの表示階調を決定するための第３副画素の出力信号（信号値Ｘ３−（ｐ，ｑ））を生成し、画像表示パネル駆動部３０に出力する。また、信号処理部２０は、入力信号を処理することで、第４副画素４９Ｗの生成信号（信号値ＸＡ４−（ｐ，ｑ））を生成する。信号処理部２０は、第４副画素４９Ｗの生成信号（信号値ＸＡ４−（ｐ，ｑ））及び補正値ｋに基づき、第４副画素４９Ｗの表示階調を決定するための第４副画素の出力信号（信号値Ｘ４−（ｐ，ｑ））を生成し、画像表示パネル駆動部３０に出力する。
【００３２】
ここで、表示装置１０は、画素４８に第４色（白色）を出力する第４副画素４９Ｗを備えることで、図５に示すように、再現される色空間（実施形態１では、ＨＳＶ色空間）における明度のダイナミックレンジが広げられている。つまり、図５に示すように、表示装置１０が再現する拡大色空間は、第１副画素４９Ｒ、第２副画素４９Ｇ及び第３副画素４９Ｂで表示できる円柱形状の色空間の上に、彩度が高くなるほど明度の最大値が低くなる、彩度軸と明度軸とを含む断面における形状が、斜辺が曲線となる略台形形状となる立体が載っている形状となる。第４色（白色）を加えることで拡大された拡大色空間（実施形態１では、ＨＳＶ色空間）における彩度Ｓを変数とした明度の最大値Ｖｍａｘ（Ｓ）が、信号処理部２０に記憶されている。つまり、信号処理部２０は、図５に示す拡大色空間の立体形状について、彩度と色相の座標（値）毎に明度の最大値Ｖｍａｘ（Ｓ）の値を記憶している。ここで、入力信号は、第１副画素４９Ｒ、第２副画素４９Ｇ及び第３副画素４９Ｂの入力信号で構成されているため、入力信号の色空間は、円柱形状、つまり、拡大色空間の円柱形状部分と同じ形状となる。
【００３３】
以下、信号処理部２０の処理動作の詳細を説明する。最初に、信号処理部２０は、α算出部２２により、複数の画素４８における副画素４９の入力信号値に基づき、これらの複数の画素４８における入力色の彩度Ｓ及び明度Ｖ（Ｓ）を求め、伸長係数αを算出する。なお、入力色は、副画素４９の入力信号値に基づき表示される色である。言い換えれば、入力色は、信号処理部２０により入力信号に処理が加えられなかった場合に、各画素４８に表示される色である。
【００３４】
ここで、彩度Ｓ及び明度Ｖ（Ｓ）は、Ｓ＝（Ｍａｘ−Ｍｉｎ）／Ｍａｘ及びＶ（Ｓ）＝Ｍａｘで表される。彩度Ｓは０から１までの値をとることができ、明度Ｖ（Ｓ）は０から（２ｎ−１）までの値をとることができ、ｎは表示階調ビット数である。また、Ｍａｘは、画素への第１副画素４９Ｒの入力信号値、第２副画素４９Ｇの入力信号値及び第３副画素４９Ｂの入力信号値の３つの副画素の入力信号値の最大値である。Ｍｉｎは、画素への第１副画素４９Ｒの入力信号値、第２副画素４９Ｇの入力信号値及び第３副画素４９Ｂの入力信号値の３つの副画素の入力信号値の最小値である。
【００３５】
一般に、第（ｐ，ｑ）番目の画素において、円柱のＨＳＶ色空間における入力色の彩度（Saturation）Ｓ（ｐ，ｑ）、明度（Value）Ｖ（Ｓ）（ｐ，ｑ）は、第１副画素の入力信号（信号値ｘ１−（ｐ，ｑ））、第２副画素の入力信号（信号値ｘ２−（ｐ，ｑ））及び第３副画素の入力信号（信号値ｘ３−（ｐ，ｑ））に基づき、次の式（１）及び式（２）より求めることができる。
【００３６】
Ｓ（ｐ，ｑ）＝（Ｍａｘ（ｐ，ｑ）−Ｍｉｎ（ｐ，ｑ））／Ｍａｘ（ｐ，ｑ）・・・（１）
Ｖ（Ｓ）（ｐ，ｑ）＝Ｍａｘ（ｐ，ｑ）・・・（２）
【００３７】
ここで、Ｍａｘ（ｐ，ｑ）は、（ｘ１−（ｐ，ｑ）、ｘ２−（ｐ，ｑ）、ｘ３−（ｐ，ｑ））の３個の副画素４９の入力信号値の最大値であり、Ｍｉｎ（ｐ，ｑ）は、（ｘ１−（ｐ，ｑ）、ｘ２−（ｐ，ｑ）、ｘ３−（ｐ，ｑ））の３個の副画素４９の入力信号値の最小値である。実施形態１ではｎ＝８とした。すなわち、表示階調ビット数を８ビット（表示階調の値を０から２５５の２５６階調）とした。なお、α算出部２２は、彩度Ｓのみを算出し、明度Ｖ（Ｓ）を算出しなくてもよい。
【００３８】
信号処理部２０は、α算出部２２により、１フレーム中の各画素４８について、それぞれ伸長係数αを算出する。伸長係数αは、画素４８毎に設定される。信号処理部２０は、伸長係数αを、入力色の彩度Ｓに応じて値が変化するように算出する。より詳しくは、信号処理部２０は、伸長係数αを、入力色の彩度Ｓが大きくなるに従って小さくなるように算出する。図７は、実施形態１における彩度と伸長係数との関係を示すグラフである。図７の横軸は、入力色の彩度Ｓであり、縦軸は伸長係数αである。信号処理部２０は、図７の線分α１に示すように、彩度Ｓがゼロである場合に伸長係数αを２とし、彩度Ｓが大きくなるに従って伸長係数αを小さくし、彩度Ｓが１である場合に伸長係数αを１とする。また、図７の線分α１に示すように、伸長係数αは、彩度が大きくなるに従って、直線的に小さくなる。ただし、信号処理部２０は、線分α１に従って伸長係数αを算出することに限られず、伸長係数αを、入力色の彩度Ｓが大きくなるに従って小さくなるように算出するものであればよい。例えば、信号処理部２０は、図７の線分α２に示すように、彩度が大きくなるに従って、伸長係数αを二次曲線的に小さくするものであってもよい。また、彩度Ｓがゼロである場合の伸長係数αは、２に限られず、例えば第４副画素４９Ｗの輝度に基づいた設定等により、任意に設定することができる。さらに、信号処理部２０は、伸長係数αを、入力色の彩度によらず一定としてもよい。
【００３９】
次に、信号処理部２０は、Ｗ生成信号生成部２４により、第４副画素の生成信号値ＸＡ４−（ｐ，ｑ）を、少なくとも第１副画素の入力信号（信号値ｘ１−（ｐ，ｑ））、第２副画素の入力信号（信号値ｘ２−（ｐ，ｑ））及び第３副画素の入力信号（信号値ｘ３−（ｐ，ｑ））に基づいて算出する。より詳しくは、信号処理部２０は、Ｗ生成信号生成部２４により、Ｍｉｎ（ｐ，ｑ）と自身の画素４８（ｐ，ｑ）の伸張係数αとの積に基づき第４副画素の生成信号値ＸＡ４−（ｐ，ｑ）を求める。具体的には、信号処理部２０は、下記の式（３）に基づいて生成信号値ＸＡ４−（ｐ，ｑ）を求める。式（３）では、Ｍｉｎ（ｐ，ｑ）と伸張係数αとの積をχで除しているが、これに限定するものではない。
【００４０】
ＸＡ４−（ｐ，ｑ）＝Ｍｉｎ（ｐ，ｑ）・α／χ・・・（３）
【００４１】
ここで、χは表示装置１０に依存した定数である。白色を表示する第４副画素４９Ｗには、カラーフィルタが配置されていない。第４色を表示する第４副画素４９Ｗは、同じ光源点灯量で照射された場合、第１色を表示する第１副画素４９Ｒ、第２色を表示する第２副画素４９Ｇ、第３色を表示する第３副画素４９Ｂよりも明るい。第１副画素４９Ｒに第１副画素４９Ｒの出力信号の最大信号値に相当する値を有する信号が入力され、第２副画素４９Ｇに第２副画素４９Ｇの出力信号の最大信号値に相当する値を有する信号が入力され、第３副画素４９Ｂに第３副画素４９Ｂの出力信号の最大信号値に相当する値を有する信号が入力されたときの、画素４８又は画素４８の群が備える第１副画素４９Ｒ、第２副画素４９Ｇ及び第３副画素４９Ｂの集合体の輝度をＢＮ１−３とする。また、画素４８又は画素４８の群が備える第４副画素４９Ｗに、第４副画素４９Ｗの出力信号の最大信号値に相当する値を有する信号が入力されたときの第４副画素４９Ｗの輝度をＢＮ４としたときを想定する。すなわち、第１副画素４９Ｒ、第２副画素４９Ｇ及び第３副画素４９Ｂの集合体によって最大輝度の白色が表示され、この白色の輝度がＢＮ１−３で表される。すると、χを表示装置１０に依存した定数としたとき、定数χは、χ＝ＢＮ４／ＢＮ１−３で表される。
【００４２】
具体的には、第１副画素４９Ｒ、第２副画素４９Ｇ及び第３副画素４９Ｂの集合体に、次の表示階調の値を有する入力信号として、信号値ｘ１−（ｐ，ｑ）＝２５５、信号値ｘ２−（ｐ，ｑ）＝２５５、信号値ｘ３−（ｐ，ｑ）＝２５５が入力されたときにおける白色の輝度ＢＮ１−３に対して、第４副画素４９Ｗに表示階調の値２５５を有する入力信号が入力されたと仮定したときの輝度ＢＮ４は、例えば、１．５倍である。すなわち、実施形態１にあっては、χ＝１．５である。
【００４３】
次に、信号処理部２０は、伸長処理部２６により、少なくとも第１副画素の入力信号（信号値ｘ１−（ｐ，ｑ））及び自身の画素４８（ｐ，ｑ）の伸長係数αに基づいて、第１副画素の出力信号（信号値Ｘ１−（ｐ，ｑ））を算出し、少なくとも第２副画素の入力信号（信号値ｘ２−（ｐ，ｑ））及び自身の画素４８（ｐ，ｑ）の伸長係数αに基づいて第２副画素の出力信号（信号値Ｘ２−（ｐ，ｑ））を算出し、少なくとも第３副画素の入力信号（信号値ｘ３−（ｐ，ｑ））及び自身の画素４８（ｐ，ｑ）の伸長係数αに基づいて第３副画素の出力信号（信号値Ｘ３−（ｐ，ｑ））を算出する。
【００４４】
具体的には、第１副画素４９Ｒの入力信号、伸長係数α及び第４副画素４９Ｗの生成信号に基づいて第１副画素４９Ｒの出力信号を算出し、第２副画素４９Ｇの入力信号、伸長係数α及び第４副画素４９Ｗの生成信号に基づいて第２副画素４９Ｇの出力信号を算出し、第３副画素４９Ｂの入力信号、伸長係数α及び第４副画素４９Ｗの生成信号に基づいて第３副画素４９Ｂの出力信号を算出する。
【００４５】
つまり、信号処理部２０は、χを表示装置に依存した定数としたとき、第（ｐ，ｑ）番目の画素（あるいは、第１副画素４９Ｒ、第２副画素４９Ｇ及び第３副画素４９Ｂの組）への第１副画素の出力信号値Ｘ１−（ｐ，ｑ）、第２副画素の出力信号値Ｘ２−（ｐ，ｑ）及び第３副画素の出力信号値Ｘ３−（ｐ，ｑ）を、以下の式（４），（５），（６）から求める。
【００４６】
Ｘ１−（ｐ，ｑ）＝α・ｘ１−（ｐ，ｑ）−χ・ＸＡ４−（ｐ，ｑ）・・・（４）
Ｘ２−（ｐ，ｑ）＝α・ｘ２−（ｐ，ｑ）−χ・ＸＡ４−（ｐ，ｑ）・・・（５）
Ｘ３−（ｐ，ｑ）＝α・ｘ３−（ｐ，ｑ）−χ・ＸＡ４−（ｐ，ｑ）・・・（６）
【００４７】
また、信号処理部２０は、補正値算出部２７により、第４副画素４９Ｗの出力信号を生成するための補正値ｋを算出する。補正値ｋは、少なくとも入力色の色相に基づいて求められ、より詳しくは、入力色の色相及び彩度に基づいて求められる。さらに詳しくは、信号処理部２０は、補正値算出部２７により、入力色の色相に基づいて求められる第１補正項ｋ１と、入力色の彩度に基づいて求められる第２補正項ｋ２とを算出し、第１補正項ｋ１及び第２補正項ｋ２に基づき、補正値ｋを算出する。
【００４８】
以下、第１補正項ｋ１の算出について説明する。図８は、実施形態１における入力色の色相と第１補正項との関係を示すグラフである。図８の横軸は、入力色の色相Ｈであり、縦軸は、第１補正項ｋ１の値である。なお、色相Ｈは、図６に示すように、０°から３６０°で表される。０°から３６０°に向かって、赤（Ｒｅｄ）、黄（Ｙｅｌｌｏｗ）、緑（Ｇｒｅｅｎ）、シアン（Ｃｙａｎ）、青（Ｂｌｕｅ）、マゼンタ（Ｍａｇｅｎｔａ）、赤となる。実施形態１では、角度０°及び３６０°を含む領域が赤色となり、角度１２０°を含む領域が緑色となり、角度２４０°を含む領域が青色となる。また、角度６０°を含む領域は、黄色となる。
【００４９】
図８に示すように、信号処理部２０が算出する第１補正項ｋ１は、入力色の色相が角度６０°である黄色（所定の色相）に近づくに従って大きくなる。また、第１補正項ｋ１は、入力色の色相が、角度０°である赤色（第１色相）及び角度１２０°である緑色（第２色相）である場合は、ゼロである。そして、第１補正項ｋ１は、入力色の色相が、角度０°の赤色から角度６０°の黄色に近づくに従って大きくなり、角度１２０°の緑色から角度６０°の黄色に近づくに従って大きくなる。第１補正項ｋ１は、角度６０°の黄色において、最大値としてのｋ１ｍａｘとなる。また、第１補正項ｋ１は、入力色の色相が、角度０°から角度１２０°の範囲外、すなわち、角度１２０°より大きく角度３６０°までの範囲である場合においては、ゼロとなる。なお、ｋ１ｍａｘの値は、任意に設定される。
【００５０】
すなわち、信号処理部２０は、第（ｐ，ｑ）番目の画素の入力色の色相をＨ（ｐ，ｑ）としたとき、第（ｐ，ｑ）番目の画素に関する第１補正項ｋ１（ｐ，ｑ）を、次の式（７）により算出する。
【００５１】
ｋ１（ｐ，ｑ）＝ｋ１ｍａｘ−ｋ１ｍａｘ・（Ｈ（ｐ，ｑ）−６０）２／３６００  ・・・（７）
【００５２】
なお、色相Ｈ（ｐ，ｑ）は、次の式（８）により算出される。また、式（７）において、ｋ１（ｐ，ｑ）がマイナスの値となった場合は、ｋ１（ｐ，ｑ）は、ゼロとなる。
【００５３】
【数１】
0006399933.tif 000002
【００５４】
信号処理部２０は、以上のように第１補正項ｋ１を求めるが、第１補正項ｋ１の算出方法は、上記のものに限られない。例えば、第１補正項ｋ１は、入力色の色相が角度６０°の黄色に近づくにつれて、二次曲線的に増加しているが、これに限られない。第１補正項ｋ１は、入力色の色相が角度６０°の黄色に近づくにつれて増加していれば、例えば直線的に増加していてもよい。また、第１補正項ｋ１は、色相が角度６０°の黄色においてのみ、最大値となったが、色相が所定の範囲内である場合において、最大値となってもよい。また、第１補正項ｋ１が最大値となる色相は、角度６０°の黄色であることが好ましいが、これに限られず、任意の色相であってもよい。例えば、第１補正項ｋ１が最大値となる色相は、角度０°から角度１２０°の間の赤色から緑色の間であることが好ましい。また、上述の第１色相は角度０°の赤色であり、第２色相は角度１２０°の緑色であったが、これら第１色相及び第２色相は、これらの色相に限られず、任意の色相であってもよい。例えば、第１色相及び第２色相は、角度０°以上１２０°以下であることが好ましい。
【００５５】
次に、第２補正項ｋ２の算出について説明する。図９は、実施形態１における入力色の彩度と第２補正項との関係を示すグラフである。図９の横軸は、入力色の彩度Ｓであり、縦軸は、第２補正項ｋ２の値である。
【００５６】
図９に示すように、信号処理部２０が算出する第２補正項ｋ２は、入力色の彩度が大きくなるに従って、大きくなる。より詳しくは、第２補正項ｋ２は、入力色の彩度がゼロである場合に、ゼロである。また、第２補正項ｋ２は、入力色の彩度が１である場合に、１となる。また、第２補正項ｋ２は、入力色の彩度が大きくなるに従って、直線的に大きくなる。すなわち、信号処理部２０は、第（ｐ，ｑ）番目の画素に関する第２補正項ｋ２（ｐ，ｑ）を、次の式（９）により算出する。
【００５７】
ｋ２（ｐ，ｑ）＝Ｓ（ｐ，ｑ）  ・・・（９）
【００５８】
なお、信号処理部２０による第２補正項ｋ２の算出方法は、上記に限られない。第２補正項ｋ２は、入力色の彩度が大きくなるに従って大きくなるものであれば、直線的に変化するものでなくてよく、例えば２次曲線的に変化するものであってもよい。また、第２補正項ｋ２は、入力色の彩度が大きくなるに従って大きくなるものであれば、入力色の彩度がゼロである場合にゼロでなくてよく、入力色の彩度が１である場合に１でなくてもよい。
【００５９】
次に、補正値ｋの算出について説明する。信号処理部２０は、補正値ｋを、第１補正項ｋ１と第２補正項ｋ２とに基づき算出する。より詳しくは、信号処理部２０は、補正値ｋを、第１補正項ｋ１と第２補正項ｋ２との積により算出する。信号処理部２０は、第（ｐ，ｑ）番目の画素に関する補正値ｋ（ｐ，ｑ）を、次の式（１０）により算出する。
【００６０】
ｋ（ｐ，ｑ）＝ｋ１（ｐ，ｑ）・ｋ２（ｐ，ｑ）  ・・・（１０）
【００６１】
ただし、信号処理部２０による補正値ｋの算出方法は、上記に限られず、少なくとも第１補正項ｋ１に基づいて求められるものであればよい。
【００６２】
次に、信号処理部２０は、Ｗ出力信号生成部２８により、第４副画素の出力信号値Ｘ４−（ｐ，ｑ）を、第４副画素の生成信号値ＸＡ４−（ｐ，ｑ）、及び補正値ｋ（ｐ，ｑ）に基づき算出する。より詳しくは、信号処理部２０は、Ｗ出力信号生成部２８により、第４副画素の生成信号値ＸＡ４−（ｐ，ｑ）に補正値ｋ（ｐ，ｑ）を加えることにより、第４副画素の出力信号値Ｘ４−（ｐ，ｑ）を算出する。具体的には、信号処理部２０は、第４副画素の出力信号値Ｘ４−（ｐ，ｑ）を、次の式（１１）により算出する。
【００６３】
Ｘ４−（ｐ，ｑ）＝ＸＡ４−（ｐ，ｑ）＋ｋ（ｐ，ｑ）  ・・・（１１）
【００６４】
ただし、信号処理部２０による第４副画素の出力信号値Ｘ４−（ｐ，ｑ）の算出方法は、第４副画素の生成信号値ＸＡ４−（ｐ，ｑ）、及び補正値ｋ（ｐ，ｑ）に基づき算出するものであれば、上述の式（１１）に限られない。
【００６５】
このように、信号処理部２０は、各副画素４９の出力信号を生成する。次に、第（ｐ，ｑ）番目の画素４８における出力信号である信号値Ｘ１−（ｐ，ｑ）、Ｘ２−（ｐ，ｑ）、Ｘ３−（ｐ，ｑ）、Ｘ４−（ｐ，ｑ）の求め方（伸張処理）を説明する。
【００６６】
（第１工程）
まず、信号処理部２０は、複数の画素４８における副画素４９の入力信号値に基づき、これらの複数の画素４８における彩度Ｓを求める。具体的には、第（ｐ，ｑ）番目の画素４８への第１副画素４９Ｒの入力信号である信号値ｘ１−（ｐ，ｑ）、第２副画素４９Ｇの入力信号である信号値ｘ２−（ｐ，ｑ）、第３副画素４９Ｂの入力信号である信号値ｘ３−（ｐ，ｑ）に基づき、式（１）から、彩度Ｓ（ｐ，ｑ）を求める。信号処理部２０は、この処理を、Ｐ０×Ｑ０個の全画素４８に対して行う。
【００６７】
（第２工程）
次いで、信号処理部２０は、算出したこれらの複数の画素４８における彩度Ｓから、伸長係数αを算出する。具体的には、信号処理部２０は、図７の線分α１に従い、１フレーム中のＰ０×Ｑ０個の全画素４８のぞれぞれの伸長係数αを、入力色の彩度Ｓが大きくなるに従って小さくなるように算出する。
【００６８】
（第３工程）
次に、信号処理部２０は、第（ｐ，ｑ）番目の画素４８における第４副画素の生成信号値ＸＡ４−（ｐ，ｑ）を、少なくとも、第１副画素の入力信号値ｘ１−（ｐ，ｑ）、第２副画素の入力信号値ｘ２−（ｐ，ｑ）及び第３副画素の入力信号値ｘ３−（ｐ，ｑ）に基づいて求める。実施形態１にあっては、信号処理部２０は、第４副画素の生成信号値ＸＡ４−（ｐ，ｑ）を、Ｍｉｎ（ｐ，ｑ）、伸張係数α及び定数χに基づいて決定する。より具体的には、信号処理部２０は、上述したとおり、第４副画素の生成信号値Ｘ４−（ｐ，ｑ）を、上記の式（３）に基づいて求める。信号処理部２０は、Ｐ０×Ｑ０個の全画素４８において第４副画素の生成信号値ＸＡ４−（ｐ，ｑ）を求める。
【００６９】
（第４工程）
その後、信号処理部２０は、第（ｐ，ｑ）番目の画素４８における第１副画素の出力信号値Ｘ１−（ｐ，ｑ）を、第１副画素の入力信号値ｘ１−（ｐ，ｑ）、伸張係数α及び第４副画素の生成信号値ＸＡ４−（ｐ，ｑ）に基づき求める。また、信号処理部２０は、第（ｐ，ｑ）番目の画素４８における第２副画素の出力信号値Ｘ２−（ｐ，ｑ）を、第２副画素の入力信号値ｘ２−（ｐ，ｑ）、伸張係数α及び第４副画素の生成信号値ＸＡ４−（ｐ，ｑ）に基づき求める。また、信号処理部２０は、第（ｐ，ｑ）番目の画素４８における第３副画素の出力信号値Ｘ３−（ｐ，ｑ）を、第３副画素の入力信号値ｘ３−（ｐ，ｑ）、伸張係数α及び第４副画素の生成信号値ＸＡ４−（ｐ，ｑ）に基づき求める。具体的には、信号処理部２０は、第（ｐ，ｑ）番目の画素４８における第１副画素の出力信号値Ｘ１−（ｐ，ｑ）、第２副画素の出力信号値Ｘ２−（ｐ，ｑ）及び第３副画素の出力信号値Ｘ３−（ｐ，ｑ）を、上記の式（４）から（６）に基づいて求める。
【００７０】
（第５工程）
また、信号処理部２０は、第（ｐ，ｑ）番目の画素４８における補正値ｋ（ｐ，ｑ）を、第１補正項ｋ１（ｐ，ｑ）と第２補正項ｋ２（ｐ，ｑ）とに基づき算出する。より詳しくは、信号処理部２０は、第１補正項ｋ１（ｐ，ｑ）を、第（ｐ，ｑ）番目の画素４８の入力色の色相に基づいて求め、第２補正項ｋ２（ｐ，ｑ）を、第（ｐ，ｑ）番目の画素４８の入力色の彩度に基づいて求める。具体的には、信号処理部２０は、上述の式（７）により第１補正項ｋ１（ｐ，ｑ）を算出し、上述の式（９）により第２補正項ｋ２（ｐ，ｑ）を算出し、上述の式（１０）により補正値ｋ（ｐ，ｑ）を算出する。
【００７１】
（第６工程）
次に、信号処理部２０は、第（ｐ，ｑ）番目の画素４８における第４副画素の出力信号Ｘ４−（ｐ，ｑ）を、第４副画素の生成信号値ＸＡ４−（ｐ，ｑ）及び補正値ｋ（ｐ，ｑ）により算出する。具体的には、信号処理部２０は、第４副画素の出力信号Ｘ４−（ｐ，ｑ）を、上述の式（１１）により算出する。
【００７２】
次に、上述の第１工程から第６工程において説明した信号処理部２０による各副画素４９の出力信号の生成処理について、フローチャートに基づき説明する。図１０は、実施形態１に係る信号処理部による各副画素の出力信号の生成処理を説明するフローチャートである。
【００７３】
図１０に示すように、各副画素４９の出力信号を生成する場合、信号処理部２０は、最初に、α算出部２２により、制御装置１１から入力された入力信号に基づき、複数の画素４８における伸長係数αを算出する（ステップＳ１０）。具体的には、信号処理部２０は、式（１）から、入力色の彩度Ｓを求める。信号処理部２０は、図７の線分α１に従い、１フレーム中のＰ０×Ｑ０個の全画素４８のぞれぞれの伸長係数αを、入力色の彩度Ｓが大きくなるに従って小さくなるように算出する。
【００７４】
伸長係数αを算出した後、信号処理部２０は、Ｗ生成信号生成部２４により、第４副画素の生成信号値ＸＡ４−（ｐ，ｑ）を算出する（ステップＳ１２）。具体的には、信号処理部２０は、第４副画素の生成信号値ＸＡ４−（ｐ，ｑ）を、Ｍｉｎ（ｐ，ｑ）、伸張係数α及び定数χに基づいて、上述の式（３）に基づいて求める。
【００７５】
第４副画素の生成信号値ＸＡ４−（ｐ，ｑ）を算出した後、信号処理部２０は、伸長処理部２６により、伸長処理を行って、第１副画素の出力信号値Ｘ１−（ｐ，ｑ）、第２副画素の出力信号値Ｘ２−（ｐ，ｑ）及び第３副画素の出力信号値Ｘ３−（ｐ，ｑ）を算出する（ステップＳ１４）。具体的には、信号処理部２０は、第１副画素の出力信号値Ｘ１−（ｐ，ｑ）を、第１副画素の入力信号値ｘ１−（ｐ，ｑ）、伸張係数α及び第４副画素の生成信号値ＸＡ４−（ｐ，ｑ）に基づき、上述の式（４）により求める。また、信号処理部２０は、第２副画素の出力信号値Ｘ２−（ｐ，ｑ）を、第２副画素の入力信号値ｘ２−（ｐ，ｑ）、伸張係数α及び第４副画素の生成信号値ＸＡ４−（ｐ，ｑ）に基づき、上述の式（５）により求める。また、信号処理部２０は、第３副画素の出力信号値Ｘ３−（ｐ，ｑ）を、第３副画素の入力信号値ｘ３−（ｐ，ｑ）、伸張係数α及び第４副画素の生成信号値ＸＡ４−（ｐ，ｑ）に基づき、上述の式（６）により求める。
【００７６】
第１副画素の出力信号値Ｘ１−（ｐ，ｑ）、第２副画素の出力信号値Ｘ２−（ｐ，ｑ）及び第３副画素の出力信号値Ｘ３−（ｐ，ｑ）を求めた後、信号処理部２０は、補正値算出部２７により、補正値ｋ（ｐ，ｑ）を算出する（ステップＳ１６）。より詳しくは、信号処理部２０は、第１補正項ｋ１（ｐ，ｑ）を、第（ｐ，ｑ）番目の画素４８の入力色の色相に基づいて求め、第２補正項ｋ２（ｐ，ｑ）を、第（ｐ，ｑ）番目の画素４８の入力色の彩度に基づいて求める。具体的には、信号処理部２０は、上述の式（７）により第１補正項ｋ１（ｐ，ｑ）を算出し、上述の式（９）により第２補正項ｋ２（ｐ，ｑ）を算出し、上述の式（１０）により補正値ｋ（ｐ，ｑ）を算出する。なお、ステップＳ１６による補正値ｋ（ｐ，ｑ）の算出処理は、次のステップＳ１８の前に行われるものであれば、上述のステップＳ１０、Ｓ１２又はＳ１４と、同時又は前に行われてもよい。
【００７７】
補正値ｋ（ｐ，ｑ）及び第４副画素の生成信号値ＸＡ４−（ｐ，ｑ）を算出した後、信号処理部２０は、Ｗ出力信号生成部２８により、補正値ｋ（ｐ，ｑ）及び第４副画素の生成信号ＸＡ４−（ｐ，ｑ）から、第４副画素の出力信号値Ｘ４−（ｐ，ｑ）を算出する(ステップＳ１８)。具体的には、信号処理部２０は、第４副画素の出力信号Ｘ４−（ｐ，ｑ）を、上述の式（１１）により算出する。これにより、信号処理部２０による各副画素４９の出力信号の生成処理は終了する。
【００７８】
以上説明したように、信号処理部２０は、第４副画素の出力信号Ｘ４−（ｐ，ｑ）を、第４副画素の生成信号値ＸＡ４−（ｐ，ｑ）及び補正値ｋ（ｐ，ｑ）に基づき算出する。第４副画素の生成信号値ＸＡ４−（ｐ，ｑ）は、第１副画素４９Ｒ、第２副画素４９Ｇ及び第３副画素４９Ｂの入力信号を、伸長係数αにより伸長し、かつ、第４副画素４９Ｗの信号に変換したものである。信号処理部２０は、このようにして算出した第４副画素の生成信号値ＸＡ４−（ｐ，ｑ）に加え、さらに補正値ｋ（ｐ，ｑ）にも基づいて第４副画素の出力信号Ｘ４−（ｐ，ｑ）を算出する。信号処理部２０は、入力色の色相に基づいて補正値ｋ（ｐ，ｑ）を算出する。従って、表示装置１０は、例えば輝度が低い色相の色を補正値ｋ（ｐ，ｑ）により明るくすることができるため、画像の劣化を抑制することができる。
【００７９】
ここで、例えば、色相が異なる２つの色が１つの画像に表示される場合、同時コントラストにより、例えば輝度が低い色相の色がより暗く見えるおそれがある。信号処理部２０は、入力色の色相に基づいて補正値ｋを算出する。信号処理部２０は、第４副画素の生成信号値ＸＡ４−（ｐ，ｑ）に加え、さらに色相に基づいて算出された補正値ｋ（より詳しくは第１補正項ｋ１）により、第４副画素の出力信号を伸長する。従って、表示装置１０は、輝度が低い色相の色の明度を高くして、同時コントラストにより所定の色が暗く見えることを抑制することにより、画像の劣化を抑制することができる。
【００８０】
また、信号処理部２０は、第４副画素の生成信号値ＸＡ４−（ｐ，ｑ）に、補正値ｋ（ｐ，ｑ）を加算することにより、第４副画素の出力信号Ｘ４−（ｐ，ｑ）を算出する。すなわち、第４副画素の出力信号Ｘ４−（ｐ，ｑ）は、入力信号に基づき生成された第４副画素の生成信号値ＸＡ４−（ｐ，ｑ）に対し、さらに補正値ｋ（ｐ，ｑ）を加えることにより、適切に第４副画素の出力信号を伸長し、輝度が低い色相の色の明度を高くして画像の劣化を抑制することができる。
【００８１】
ここで、色相が角度０°から１２０°の範囲の色は、色が暗く見えた場合に、観察者に認識されやすい。さらに、色相が角度６０°の黄色に近い色は、色が暗く見えた場合に、特に観察者に認識されやすい。信号処理部２０は、入力色の色相が、観察者に画像劣化が認識されやすい所定の色相（ここでは角度６０°の黄色）に近づくに従って、第１補正項ｋ１の値を大きくしている。そのため、表示装置１０は、観察者に画像劣化が認識されやすい所定の色相において、より適切に明度を高くし、同時コントラストにより所定の色相に近い色相を有する色が暗く見えることを抑制することができる。信号処理部２０は、１フレーム中に、所定の色相よりも輝度が高い色相がある場合に、この所定の色相を有する画素について、補正値ｋにより第４副画素の出力信号を伸長してもよい。すなわち、信号処理部２０は、１フレーム中の全ての画素について入力色の色相を算出し、１フレーム中に、所定の色相を有する画素と、その所定の色相よりも輝度が高い白色等の色相を有する画素とがあった場合に、この所定の色相を有する画素について補正値ｋによる伸長を行ってもよい。さらに、信号処理部２０は、所定の色相を有する画素と、その所定の色相よりも輝度が高い白色等の色相を有する画素とが隣接している場合に、この所定の色相を有する画素について、補正値ｋによる伸長を行ってもよい。
【００８２】
また、第１補正項ｋ１は、入力色の色相が第１色相（角度０°）から第２色相（角度１２０°）の範囲外である場合、ゼロとなる。従って、信号処理部２０は、観察者に画像劣化が認識されやすい範囲以外においては、第１補正項ｋ１による伸長を行わない。そのため、表示装置１０は、観察者に画像劣化が認識されやすい所定の色相において、より適切に明度を高くし、同時コントラストにより所定の色相に近い色相を有する色が暗く見えることを抑制することができる。なお、所定の色相は角度６０°の黄色に限られず、第１色相は角度０°の赤色に限られず、第２色相は角度１２０°の緑色に限られず、これらの色相を任意に設定することができる。表示装置１０は、所定の色相、第１色相及び第２色相を任意に設定した場合においても、例えば輝度が低い色相の色を補正値ｋ（ｐ，ｑ）により明るくすることができるため、画像の劣化を抑制することができる。
【００８３】
さらに、信号処理部２０は、入力色の彩度にも基づいて補正値ｋを算出する。より詳しくは、信号処理部２０は、入力色の彩度が大きくなるに従って値が大きくなる第２補正項ｋ２にも基づき、補正値ｋを算出する。入力色の彩度が高いということは、入力色がより純色に近づくということになる。画像の劣化は、純色のほうがより認識されやすい。信号処理部２０は、入力色の彩度が大きくなるに従って補正値ｋを大きくする。そのため、表示装置１０は、観察者に画像劣化が認識されやすい高彩度において、より適切に明度を高くし、同時コントラストにより色が暗く見えることを抑制することができる。
【００８４】
また、表示装置１０は、伸長係数αにより１フレーム中の全ての画素の入力信号を伸長している。言い換えれば、第１副画素の出力信号、第２副画素の出力信号、第３副画素の出力信号、及び第４副画素の出力信号に基づいて表示される色の明度は、入力色の明度よりも大きい。このような場合、画素毎の明度の差が広がる可能性がある。そのため、伸長係数αにより伸長することにより、同時コントラストによる画像の劣化がより認識されやすくなるおそれがある。特に、反射型の液晶表示装置は、一般的に画面全体を伸長することにより、画像全体を明るくする場合がある。しかし、実施形態１に係る表示装置１０は、上述のように、観察者に画像劣化が認識されやすい所定の色相において明度を高くするため、このような場合においても、画像の劣化を抑制することができる。
【００８５】
以下に、実施形態１に係る方法により第１副画素の出力信号、第２副画素の出力信号、第３副画素の出力信号及び第４副画素の生成信号を生成した場合の一例について説明する。図１１は、所定の色相における彩度と明度との関係の一例を示すグラフである。図１１の横軸は、入力色の彩度Ｓであり、縦軸は、表示装置１０により伸長されて実際に表示される色の明度Ｖである。また、図１１は、入力色の色相が角度６０°の黄色における彩度と明度との関係を示している。図１１の線分Ｌは、拡大色空間において再現可能な明度の最大値を示しており、すなわち表示装置１０により表示可能な明度の最大値を示している。この明度の最大値は、彩度毎に異なる。
【００８６】
ここで、入力色の彩度が１で、明度が０．５の所定の入力信号値を有する信号値Ａ１（すなわち、純色の黄色）について、実施形態１に係る伸長処理を行った場合について説明する。この信号値Ａ１について伸長処理を行い、第１副画素の出力信号、第２副画素の出力信号、第３副画素の出力信号及び第４副画素の生成信号を生成した場合の信号値を信号値Ａ２とする。信号値Ａ１の入力色の彩度は１であるため、伸長係数αは１となる。すなわち、信号値Ａ２は、信号値Ａ１から伸長されず、信号値Ａ２の明度は信号値Ａ１と同じ０．５となる。さらに、信号値Ａ２の第４副画素の生成信号から、第４副画素の出力信号を生成し、第１副画素の出力信号、第２副画素の出力信号、第３副画素の出力信号及び第４副画素の出力信号の信号値を信号値Ａ３とする。信号値Ａ１の入力色の彩度は１であり、色相は黄色であるため、第４副画素の出力信号の信号値は、第４副画素の生成信号の信号値にｋｍａｘが加えられる。従って、信号値Ａ３の明度は、信号値Ａ１，Ａ２よりも大きくなる。従って、信号値Ａ１のような入力信号が入力された場合、表示装置１０は、表示する色を明るくすることができる。
【００８７】
次に、入力色の彩度が０で、明度が０．５の所定の入力信号値を有する信号値Ｂ１（すなわち、白色）について、実施形態１に係る伸長処理を行った場合について説明する。この信号値Ｂ１について伸長処理を行い、第１副画素の出力信号、第２副画素の出力信号、第３副画素の出力信号及び第４副画素の生成信号を生成した場合の信号値を信号値Ｂ２とする。信号値Ｂ１の入力色の彩度は０であるため、伸長係数αは２となる。すなわち、信号値Ｂ２は、信号値Ｂ１から伸長され、信号値Ｂ２の明度は信号値Ｂ１より大きい１となる。さらに、信号値Ｂ２の第４副画素の生成信号から、第４副画素の出力信号を生成し、第１副画素の出力信号、第２副画素の出力信号、第３副画素の出力信号及び第４副画素の出力信号の信号値を信号値Ｂ３とする。信号値Ｂ１の入力色の彩度は０であるため、補正値ｋはゼロとなり、第４副画素の出力信号の信号値は、第４副画素の生成信号の信号値と同じ値となる。従って、信号値Ｂ３の明度は、信号値Ｂ２と同じとなる。
【００８８】
このように、実施形態１に係る表示装置１０は、入力色が画像の劣化が認識されやすい色相で、かつ高彩度である場合に、補正値ｋにより画像を明るくする。一方、実施形態１に係る表示装置１０は、入力色が画像の劣化が認識されにくい色相、又は低彩度である場合には、伸長係数αによって画像を明るくするが、補正値ｋによっては画像を明るくしない。従って、図１１の信号値Ａ３と信号値Ｂ３とに示されるように、表示装置１０は、このような場合における明度差を小さくし、同時コントラストによる画像の劣化を好適に抑制することができる。
【００８９】
図１２及び図１３は、色相が異なる２つの色が表示された場合の画像の一例を示す図である。図１２は、輝度が高い白色が表示されている白色部Ｄ１と、輝度が白色部Ｄ１より低い黄色の色相の色が表示されている黄色部Ｄ２とが表示されている画像を示している。さらに、図１２では、実施形態１のように補正値ｋを用いず、第４副画素の生成信号値ＸＡ４−（ｐ，ｑ）を第４副画素の出力信号値Ｘ４−（ｐ，ｑ）として用いた場合の画像を示している。一方、図１３は、白色部Ｄ１と同じ入力信号に基づいて白色が表示されている白色部Ｄ３と、黄色部Ｄ２と同じ入力信号に基づいて黄色の色相の色が表示されている黄色部Ｄ４とが表示されている画像を示している。ただし、図１３では、実施形態１で説明したように、第４副画素の出力信号値Ｘ４−（ｐ，ｑ）を、第４副画素の生成信号値ＸＡ４−（ｐ，ｑ）及び補正値ｋ（ｐ，ｑ）に基づいて求めている。
【００９０】
図１３の黄色部Ｄ４は、補正値ｋにより、第４副画素の出力信号値Ｘ４−（ｐ，ｑ）がさらに伸長されているため、図１２の黄色部Ｄ２よりも明度が高くなる。図１３の白色部Ｄ３は、白色（彩度がゼロ）であるため、補正値ｋがゼロとなり、第４副画素の出力信号値Ｘ４−（ｐ，ｑ）が補正値ｋにより伸長されず、図１２の白色部Ｄ１と明度が同じとなる。従って、図１２と図１３とを比較すると、図１２の黄色部Ｄ２は、白色部Ｄ１に対して暗く見えるのに対し、図１３の黄色部Ｄ４は、図１２の黄色部Ｄ２よりも暗く見えない。このように、実施形態１に係る表示装置１０は、同時コントラストによる画像の劣化を抑制することができる。
【００９１】
（実施形態２）
次に、実施形態２について説明する。実施形態２に係る表示装置１０ａは、透過型の液晶表示装置である点で、実施形態１に係る表示装置１０とは異なる。実施形態２に係る表示装置１０ａにおいて実施形態１に係る表示装置１０と共通する箇所の説明は、省略する。
【００９２】
図１４は、実施形態２に係る表示装置の構成を示すブロック図である。図１４に示すように、実施形態２に係る表示装置１０ａは、信号処理部２０ａと、画像表示パネル４０ａと、光源部６０ａとを有する。表示装置１０ａは、信号処理部２０ａが表示装置１０ａの各部に信号を送り、画像表示パネル駆動部３０が信号処理部２０ａからの信号に基づいて画像表示パネル４０ａの駆動を制御し、画像表示パネル４０ａが画像表示パネル駆動部３０からの信号に基づいて画像を表示させ、光源部６０ａが信号処理部２０ａの信号に基づいて画像表示パネル４０ａを背面から照明することにより、画像を表示する。
【００９３】
画像表示パネル４０ａは、透過型の液晶表示パネルである。光源部６０ａは、画像表示パネル４０ａの背面（画像表示面の反対側）に配置され、信号処理部２０ａの制御により画像表示パネル４０ａに向けて光を照射することで、画像表示パネル４０ａを照明して、画像を表示させる。光源部６０ａは、照射する光の輝度が、伸長係数αに関わらず一定である。
【００９４】
実施形態２に係る信号処理部２０ａも、実施形態１に係る信号処理部２０と同様の処理で、第１副画素の出力信号、第２副画素の出力信号、第３副画素の出力信号及び第４副画素の出力信号を生成する。従って、実施形態２に係る表示装置１０ａは、実施形態１に係る表示装置１０と同様に、同時コントラストにより所定の色が暗く見えることを抑制することにより、画像の劣化を抑制することができる。
【００９５】
また、実施形態２に係る表示装置１０ａは、光源部６０ａが照射する光の輝度が、伸長係数αに関わらず一定である。言い換えれば、表示装置１０ａは、伸長係数αにより入力信号を伸長した場合でも、光源部６０ａからの光の輝度を抑制せず、画像を明るく表示させている。このような場合、画素毎の明度の差が広がり、同時コントラストによる画像の劣化がより認識されやすくなるおそれがある。しかし、表示装置１０ａは、上述のように、観察者に画像劣化が認識されやすい所定の色相において明度を高くするため、このような場合においても、画像の劣化を抑制することができる。ただし、表示装置１０ａは、光源部６０ａからの光の輝度を、伸長係数αの値に応じて変化させるものであってもよい。例えば、表示装置１０ａは、光源部６０ａからの光の輝度を、１／α倍として、画像が暗くなることを抑制しつつ、消費電力の低減を図るものであってもよい。この場合においても、実施形態１に係る信号処理部２０と同様の処理で、第１副画素の出力信号、第２副画素の出力信号、第３副画素の出力信号及び第４副画素の出力信号を生成するため、同様に画像の劣化を抑制することができる。
【００９６】
（変形例）
次に、実施形態２の変形例について説明する。変形例に係る表示装置１０ｂは、伸長係数αを算出する方法を切り替える点で、実施形態２に係る表示装置１０ａとは異なる。
【００９７】
変形例に係る信号処理部２０ｂは、実施形態１及び実施形態２における伸長係数αの算出する方法に加え、次に説明するように、別の方法で伸長係数αを算出する。すなわち、信号処理部２０ｂは、入力色の明度Ｖ（Ｓ）及び拡大色空間のＶｍａｘ（Ｓ）に基づき、次の式（１２）により伸長係数αを算出する。
【００９８】
α＝Ｖｍａｘ（Ｓ）／Ｖ（Ｓ）・・・（１２）
【００９９】
ここで、Ｖｍａｘ（Ｓ）は、図５に示す拡大色空間において再現可能な明度の最大値である。Ｖｍａｘ（Ｓ）は、次の式（１３）、式（１４）で表すことができる。
【０１００】
Ｓ≦Ｓ０の場合：
Ｖｍａｘ（Ｓ）＝（χ＋１）・（２ｎ−１）・・・（１３）
【０１０１】
Ｓ０＜Ｓ≦１の場合：
Ｖｍａｘ（Ｓ）＝（２ｎ−１）・（１／Ｓ）・・・（１４）
ここで、Ｓ０＝１／（χ＋１）である。
【０１０２】
信号処理部２０ｂは、第１実施形態の伸長係数αの算出方法と、上述の式（１２）により伸長係数αを算出する方法とを切り替える。例えば、信号処理部２０ｂは、屋外などの外光強度が表示輝度に対して相対的に高い場合等、画像を可能な限り明るくしたい場合に、第１実施形態に基づき伸長係数αを算出する方法を用いる。以下、第１実施形態での伸長係数αの算出方法を用いる場合を、アウトドアモードと記載する。信号処理部２０ｂは、信号処理部２０ｂに入力される外部スイッチからのアウトドアモードの選択信号があった場合、又は、一定以上の外光強度を受光した場合に、アウトドアモードに切り替え、アウトドアモードでの伸長係数α算出方法を選択する。信号処理部２０ｂは、このようなアウトドアモードの選択信号が無い場合、及び一定以上の外光強度を受光しない場合（通常モード）は、上述の式（１２）により伸長係数αを算出する。この通常モードの場合、表示装置１０ｂは、光源部６０ａからの光の輝度を、１／α倍として、画像が暗くなることを抑制しつつ、消費電力の低減を図る。
【０１０３】
図１５は、伸長係数の算出方法を切り替える方法を示すフローチャートである。信号処理部２０は、アウトドアモードがオンとなっていない場合は、通常モードで伸長係数αを算出する。図１５に示すように、信号処理部２０ｂは、アウトドアモードがオンとなっているかを判断する（ステップＳ２０）。すなわち、信号処理部２０ｂは、信号処理部２０ｂに入力される外部スイッチからのアウトドアモードの選択信号があった場合、又は、一定以上の外光強度を受光したかを判断する。
【０１０４】
アウトドアモードがオンとなった場合（ステップＳ２０でＹｅｓ）、信号処理部２０ｂは、アウトドアモードに基づき、伸長係数αを算出する（ステップＳ２２）。
【０１０５】
アウトドアモードがオンとなっていない場合（ステップＳ２０でＮｏ）、信号処理部２０ｂは、通常モードのままで、伸長係数αを算出する（ステップＳ２４）。すなわち、信号処理部２０ｂは、上述の式（１２）により伸長係数αを算出する。信号処理部２０ｂは、このような処理により、伸長係数αを算出する方法を切り替える。
【０１０６】
以上変形例で説明した伸長係数αの算出方法を切り替えることは、実施形態１に係る反射型の表示装置１０も行うことができる。また、実施形態１に係る表示装置１０及び実施形態２に係る表示装置１０ａは、常に上述の式（１２）により伸長係数αを算出するものであってもよい。
【０１０７】
（適用例）
次に、図１６及び図１７を参照して、実施形態１で説明した表示装置１０の適用例について説明する。図１６及び図１７は、実施形態１に係る表示装置を適用する電子機器の一例を示す図である。実施形態１に係る表示装置１０は、図１６に示すカーナビゲーションシステム、テレビジョン装置、デジタルカメラ、ノート型パーソナルコンピュータ、図１７に示す携帯電話等の携帯端末装置あるいはビデオカメラなどのあらゆる分野の電子機器に適用することが可能である。言い換えると、実施形態１に係る表示装置１０は、外部から入力された映像信号あるいは内部で生成した映像信号を、画像あるいは映像として表示するあらゆる分野の電子機器に適用することが可能である。電子機器は、表示装置に映像信号を供給し、表示装置の動作を制御する制御装置１１（図１参照）を備える。なお、本適用例は、実施形態１に係る表示装置１０以外でも、以上説明した他の実施形態に係る表示装置にも適用できる。
【０１０８】
図１６に示す電子機器は、実施形態１に係る表示装置１０が適用されるカーナビゲーション装置である。表示装置１０は、自動車の車内のダッシュボード３００に設置される。具体的にはダッシュボード３００の運転席３１１と助手席３１２の間に設置される。カーナビゲーション装置の表示装置１０は、ナビゲーション表示、音楽操作画面の表示、又は、映画再生表示等に利用される。
【０１０９】
図１７に示す電子機器は、実施形態１に係る表示装置１０が適用される携帯型コンピュータ、多機能な携帯電話、音声通話可能な携帯コンピュータまたは通信可能な携帯コンピュータとして動作し、いわゆるスマートフォン、タブレット端末と呼ばれることもある、情報携帯端末である。この情報携帯端末は、例えば筐体５６２の表面に表示部５６１を有している。この表示部５６１は、実施形態１に係る表示装置１０と外部近接物体を検出可能なタッチ検出（いわゆるタッチパネル）機能とを備えている。
【０１１０】
以上、本発明の実施形態を説明したが、これらの実施形態の内容によりこれらの実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【０１１１】
本開示は、次のような構成を採用することができる。
【０１１２】
（１）第１色を表示する第１副画素、第２色を表示する第２副画素、第３色を表示する第３副画素、第４色を表示する第４副画素を有する画素を複数有する画像表示パネルと、
入力信号の入力値を、前記第１色、前記第２色、前記第３色及び前記第４色で再現される色空間の再現値に変換して生成し、生成した出力信号を前記画像表示パネルに出力する信号処理部と、を有し、
前記信号処理部は、
前記画像表示パネルに関する伸長係数を決定し、
各画素の前記第４副画素の生成信号を、前記第１副画素の入力信号、前記第２副画素の入力信号、前記第３副画素の入力信号及び前記伸長係数に基づいて求め、
各画素の前記第１副画素の出力信号を、少なくとも前記第１副画素の入力信号、前記伸長係数及び前記第４副画素の生成信号に基づいて求めて前記第１副画素に出力し、
各画素の前記第２副画素の出力信号を、少なくとも前記第２副画素の入力信号、前記伸長係数及び前記第４副画素の生成信号に基づいて求めて前記第２副画素に出力し、
各画素の前記第３副画素の出力信号を、少なくとも前記第３副画素の入力信号、前記伸長係数及び前記第４副画素の生成信号に基づいて求めて前記第３副画素に出力し、
さらに、前記第４副画素の出力信号を求めるための補正値を、前記第１副画素の入力信号、前記第２副画素の入力信号、及び前記第３副画素の入力信号に基づいて表示される色である入力色の色相に基づいて求め、
各画素の前記第４副画素の出力信号を、前記第４副画素の生成信号と前記補正値とに基づいて求めて前記第４副画素に出力する、表示装置。
【０１１３】
（２）前記信号処理部は、前記第４副画素の出力信号を、前記第４副画素の生成信号の信号値に、前記補正値を加えることにより求める、前記表示装置。
【０１１４】
（３）前記補正値は、前記入力色の色相が所定の色相に近づくに従って大きくなる、前記表示装置。
【０１１５】
（４）前記補正値は、前記入力色の色相が前記所定の色相とは異なる第１色相及び第２色相である場合にゼロとなり、前記入力色の色相が前記第１色相から前記所定の色相に近づくにつれて大きくなり、前記入力色の色相が前記第２色相から前記所定の色相に近づくにつれて大きくなる、前記表示装置。
【０１１６】
（５）前記補正値は、前記入力色の色相が、前記第１色相から前記第２色相までの色相範囲であって前記所定の色相を含む色相範囲以外の色相である場合に、ゼロとなる、前記表示装置。
【０１１７】
（６）前記所定の色相は、黄色であり、前記第１色相は、赤色であり、前記第２色相は、緑色である、前記表示装置。
【０１１８】
（７）前記補正値は、さらに、前記入力色の彩度が大きくなるに従って大きくなる、前記表示装置。
【０１１９】
（８）前記補正値は、前記入力色の色相に基づいて求められる第１補正項と、前記入力色の彩度が大きくなるに従って大きくなる第２補正項とを有し、
前記信号処理部は、前記第４副画素の出力信号を、前記第４副画素の生成信号の信号値に、前記第１補正項と前記第２補正項との積を加えることにより求める、前記表示装置。
【０１２０】
（９）前記第１副画素の出力信号、前記第２副画素の出力信号、第３副画素の出力信号、及び第４副画素の出力信号に基づいて表示される色の明度は、前記入力色の明度よりも大きい、前記表示装置。
【０１２１】
（１０）前記伸長係数は、前記入力色の彩度に応じて変化する、前記表示装置。
【０１２２】
（１１）前記第１副画素、前記第２副画素、前記第３副画素及び前記第４副画素は、前記画像表示パネルの前面から入射された光を反射する反射部を有し、前記反射部によって反射された光により画像を表示する、前記表示装置。
【０１２３】
（１２）前記画像表示パネルの画像を表示する表示面とは反対側の背面側に設けられ、前記画像表示パネルに光を照射する光源部をさらに有する、前記表示装置。
【０１２４】
（１３）第１色を表示する第１副画素、第２色を表示する第２副画素、第３色を表示する第３副画素、第４色を表示する第４副画素を有する画素を複数有する画像表示パネルを備える表示装置の駆動方法であって、
前記第１副画素、前記第２副画素、前記第３副画素及び前記第４副画素それぞれの出力信号を求めるステップと、
前記出力信号に基づいて、前記第１副画素、前記第２副画素、前記第３副画素及び前記第４副画素の動作を制御するステップと、を含み、
前記出力信号を求めるステップは、
前記画像表示パネルに関する伸長係数を決定するステップと、
前記第４副画素の生成信号を、前記第１副画素の入力信号、前記第２副画素の入力信号、前記第３副画素の入力信号及び前記伸長係数に基づいて求めるステップと、
前記第１副画素の出力信号を、少なくとも前記第１副画素の入力信号、前記伸長係数及び前記第４副画素の生成信号に基づいて求めて前記第１副画素に出力するステップと、
前記第２副画素の出力信号を、少なくとも前記第２副画素の入力信号、前記伸長係数及び前記第４副画素の生成信号に基づいて求めて前記第２副画素に出力するステップと、
各画素の前記第３副画素の出力信号を、少なくとも前記第３副画素の入力信号、前記伸長係数及び前記第４副画素の生成信号に基づいて求めて前記第３副画素に出力するステップと、
前記第４副画素の出力信号を求めるための補正値を、前記第１副画素の入力信号、前記第２副画素の入力信号、及び前記第３副画素の入力信号に基づいて表示される色である入力色の色相に基づいて求めるステップと、
前記第４副画素の出力信号を、前記第４副画素の生成信号と前記補正値とに基づいて求めて前記第４副画素に出力するステップと、を有する表示装置の駆動方法。
【符号の説明】
【０１２５】
１０  表示装置
２０  信号処理部
２２  α算出部
２４  Ｗ生成信号生成部
２６  伸長処理部
２７  補正値算出部
２８  Ｗ出力信号生成部
３０  画像表示パネル駆動部
４０  画像表示パネル
４８  画素
４９Ｒ  第１副画素
４９Ｇ  第２副画素
４９Ｂ  第３副画素
４９Ｗ  第４副画素
５０  光源部
ｋ  補正値
ｋ１  第１補正項
ｋ２  第２補正項
【図１】
0006399933.tif 000003
【図２】
0006399933.tif 000004
【図３】
0006399933.tif 000005
【図４】
0006399933.tif 000006
【図５】
0006399933.tif 000007
【図６】
0006399933.tif 000008
【図７】
0006399933.tif 000009
【図８】
0006399933.tif 000010
【図９】
0006399933.tif 000011
【図１０】
0006399933.tif 000012
【図１１】
0006399933.tif 000013
【図１２】
0006399933.tif 000014
【図１３】
0006399933.tif 000015
【図１４】
0006399933.tif 000016
【図１５】
0006399933.tif 000017
【図１６】
0006399933.tif 000018
【図１７】
0006399933.tif 000019